(57)【特許請求の範囲】
【請求項１】
１つの入力軸に入力された回転力を第１、第２の出力軸に伝達して前記第１、第２の出力軸を同時回転させる回転伝達アダプタであって、
前記入力軸および前記第１、第２の出力軸は、直接または間接的に互いに噛み合って相対回転する複数個の回転ギヤからなるギヤ列を備えており、
前記第１、第２の出力軸の前記入力軸からの離隔距離を可変させて回転自在に位置決め保持する調整部として、前記入力軸の回転力で回転する前記回転ギヤの軸心を中心にする円弧形状の案内ガイドを備えて、
前記第１、第２の出力軸は、前記案内ガイドに回転自在に案内されて位置決めされることを特徴とする回転伝達アダプタ。
【請求項２】
前記ギヤ列は、前記第１、第２の出力軸の前記回転ギヤのそれぞれに同数の前記回転ギヤが伝達ギヤとして介在して、前記入力軸の前記回転ギヤに噛み合って構築されていることを特徴とする請求項１に記載の回転伝達アダプタ。
【請求項３】
前記入力軸および前記第１、第２の出力軸は、回転させて機能させる回転部材の一端側に準備されている嵌め合い部を嵌め合わせて連結する連結部が前記回転部材と同軸回転させるように設けられていることを特徴とする請求項１または２に記載の回転伝達アダプタ。
【請求項４】
上記請求項１から３のいずれか１項に記載の回転伝達アダプタを備えて、
前記第１、第２出力軸には、ネジ部材に準備されている嵌め合い部に嵌め合わせて一体回転させる回転部材が同軸回転させるように固定状態あるいは着脱自在に設けられていることを特徴とするネジ部材同時回転道具。
【発明の詳細な説明】
【技術分野】
【０００１】
本発明は、回転伝達アダプタおよびネジ部材同時回転道具に関し、詳しくは、回転対象物を同時に回転させる作業を実現するものに関する。
【背景技術】
【０００２】
確実な接続状態を確保する必要があるコネクタには、両側にネジ止め箇所を設置して均等に締め付ける構造を採用することが行われている。
例えば、通信機器やコンピュータ関係のモニタ用ケーブルのコネクタには、両側にネジを配置して、接続箇所の相手側コネクタの両側にそのネジをネジ止めする受け構造を設置しておく、所謂、Ｄ−ｓｕｂコネクタを使用される場合がある。
【０００３】
この両側一対のネジ構造を回転させる装置として、特許文献１に締付装置が提案されている。
この締付装置では、ドリル等に利用する電動回転工具の駆動軸を連結させて回転させる部材の両側に回転自在に回転軸を配置しており、その回転軸の先端をボルトやナットなどの回転対象物に連結させる構造とすることにより、一対の回転対象物を同時に回転させることを実現している。
【先行技術文献】
【特許文献】
【０００４】
【特許文献１】特開平９−２１６１７２号公報
【発明の概要】
【発明が解決しようとする課題】
【０００５】
しかしながら、このＤ−ｓｕｂコネクタのような連結機構にあっては、離れた位置にボルトやナットなどの回転対象物があることから、手動で締付作業を行う場合には、少しずつ交互に回転させる必要があり、均等に締め付けるのが難しいとともに、その作業が煩わしいという問題があった。
【０００６】
また、上記の特許文献１に記載の締付装置にあっては、電動回転工具の駆動軸で回転させる回転部材の両側の回転軸の間隔が固定であることから、締付作業の回転対象物の間隔毎に対応する機種を準備する必要があり、多種多様な種別がある場合に準備することは難しい。
そこで、本発明は、間隔の異なる回転対象物でも同時回転させることができる、汎用性の高い回転伝達構造を提供することを目的としている。
【課題を解決するための手段】
【０００７】
本発明の一態様は、１つの入力軸に入力された回転力を第１、第２の出力軸に伝達して前記第１、第２の出力軸を同時回転させる回転伝達アダプタであって、前記入力軸および前記第１、第２の出力軸は、直接または間接的に互いに噛み合って相対回転する複数個の回転ギヤからなるギヤ列を備えており、前記第１、第２の出力軸の前記入力軸からの離隔距離を可変させて回転自在に位置決め保持する調整部を備えることを特徴とするものである。
【発明の効果】
【０００８】
このように本発明の一態様によれば、入力軸に回転力を入力して回転ギヤ列を介して回転させる第１、第２の出力軸の間隔を回転対象物の離隔間隔に応じて調整することができる。したがって、回転対象物の離隔間隔毎に装置を準備する必要がなく、異なる離隔間隔の回転対象物でも汎用性高く同時回転させる作業を行うことができる。
【図面の簡単な説明】
【０００９】
【図１】図１は、本発明に係る回転伝達アダプタを備えるネジ部材同時回転道具の一実施形態を示す図であり、（ａ）はその全体構成を示す平面図、（ｂ）はその要部構成を示す一部拡大平面図である。
【図２】図２は、その回転伝達アダプタの一実施形態を示す図であり、（ａ）はその出力軸側から見た上面図、（ｂ）はその軸心に直交する方向から見た一部断面側面図、（ｃ）はその入力軸側から見た下面図である。
【図３】図３は、Ｄ−ｓｕｂコネクタの接続対象を示す装置本体側のコネクタを示す平面図である。
【図４】図４は、Ｄ−ｓｕｂコネクタを示す図であり、（ａ）はそのコネクタに接続されているケーブルに対する直交方向から見た平面図、（ｂ）はそのケーブル側からコネクタを見た一部断面平面図である。
【図５】図５は、そのネジ部材同時回転道具の使用を説明する平面図である。
【発明を実施するための形態】
【００１０】
本発明の実施形態の一態様としては、１つの入力軸に入力された回転力を第１、第２の出力軸に伝達して前記第１、第２の出力軸を同時回転させる回転伝達アダプタであって、前記入力軸および前記第１、第２の出力軸は、直接または間接的に互いに噛み合って相対回転する複数個の回転ギヤからなるギヤ列を備えており、前記第１、第２の出力軸の前記入力軸からの離隔距離を可変させて回転自在に位置決め保持する調整部を備える構成に加えて、次の構成を備えてもよい。
【００１１】
第１の他の態様としては、前記調整部として、前記入力軸の回転力で回転する前記回転ギヤの軸心を中心にする円弧形状の案内ガイドを備えて、前記第１、第２の出力軸は、前記案内ガイドに回転自在に案内されて位置決めされていてもよい。
この態様では、回転力を伝達する回転ギヤ周りに、第１、第２の出力軸を案内ガイドで案内しつつ移動させることができ、その第１、第２の出力軸を任意の間隔になるように近接・離隔させることができる。したがって、第１、第２の出力軸の離隔間隔を容易に調整することができる。
【００１２】
第２の他の態様としては、前記ギヤ列は、前記第１、第２の出力軸の前記回転ギヤのそれぞれに同数の前記回転ギヤが伝達ギヤとして介在して、前記入力軸の前記回転ギヤに噛み合って構築されていてもよい。
この態様では、同数の回転ギヤを介して第１、第２の出力軸に入力軸から回転力を伝達することができ、第１、第２の出力軸を同一方向に回転させることができる。したがって、回転対象物を同一方向に同時回転させて締付・解除作業を行うことができる。例えば、奇数個の回転ギヤを介在させる場合には、入力軸と第１、第２の出力軸とを同一方向に回転させることができ、偶数個の回転ギヤを介在させる場合には、入力軸と第１、第２の出力軸とを逆方向に回転させることができる。
【００１３】
第３の他の態様としては、前記入力軸および前記第１、第２の出力軸は、回転させて機能させる回転部材の一端側に準備されている嵌め合い部を嵌め合わせて連結する連結部が前記回転部材と同軸回転させるように設けられていてもよい。
この態様では、入力軸には回転力を発生する回転部材を嵌め合わせて連結することによりその回転力を入力することができ、第１、第２の出力軸には回転力を出力する回転部材を嵌め合わせて連結することにより回転対象物をその回転部材で回転させる作業を行うことができる。したがって、入力軸や第１、第２の出力軸にそれぞれ嵌め合わせ可能な回転部材を準備するだけで、回転対象物を同時回転させる作業をすることができる。
【００１４】
第４の他の態様としては、上記のいずれか１つの回転伝達アダプタを備えて、前記第１、第２出力軸には、ネジ部材に準備されている嵌め合い部に嵌め合わせて一体回転させる回転部材が同軸回転させるように固定状態あるいは着脱自在に設けられていることを特徴とするネジ部材同時回転道具としてもよい。
この態様では、離隔する回転対象物のネジ部材を同時回転させる回転部材を固定または着脱自在に回転伝達アダプタに備えさせているネジ部材同時回転道具を提供することができる。
【００１５】
以下、図面を参照して、本発明の実施形態について詳細に説明する。図１〜図５は本発明の一実施形態に係る回転伝達アダプタを備えるネジ部材同時回転道具を示す図である。
図１および図２において、ネジ部材同時回転道具１００は、回転対象の図４に示すネジ部材Ｓのヘッド部Ｓｈに形成されているネジ溝Ｓｄに、先端部１１１を嵌め合わせて回転操作する２本１組のドライバビット（回転部材）１１０を回転伝達アダプタ１０に相対回転不能な状態に着脱自在に取り付けるようになっている。
【００１６】
ここで、ネジ部材Ｓは、例えば、図３に示す通信機器やコンピュータ関係の本体装置Ｈ側の本体側コネクタＣｈの両側に配置されている雌ネジ孔Ｈｆに噛み合い連結させるように、図４に示すように、その接続相手のモニタ用ケーブルＣａの接続側コネクタＣｄの両側に雄ネジ部材として回転自在に取り付け支持されている。この接続側コネクタＣｄと一対の両側ネジ部材Ｓとで、所謂、Ｄ−ｓｕｂコネクタＣｄとして作製されている。なお、ネジ部材Ｓのネジ溝Ｓｄは、例えば、＋形状溝に形成されている、所謂、プラスネジであり、ドライバビット１１０の先端部１１１は、そのネジ溝Ｓｄに嵌め合わせる、所謂、プラスドライバの先端形状に形成されている。
このＤ−ｓｕｂコネクタＣｄは、一般的には、両側の２本１組のネジ部材Ｓに対してドライバによる回転作業を交互に行って本体側コネクタＣｈ両側の雌ネジ孔Ｈｆに噛み合い連結させる締付作業を行うことにより、本体側コネクタＣｈとの高品質な接続を確保・維持するようになっている。
【００１７】
回転伝達アダプタ１０は、入力軸１１と、２つ１組の第１、第２の出力軸１２、１３と、を備えている。
入力軸１１は、例えば、電動あるいは手動の作業工具Ｔの先端部に形成されている嵌め込み部Ｔｆを一体回転させるように嵌め合わせる入力側凹部１５が形成されている。
出力軸１２、１３にも、それぞれ入力軸１１の入力側凹部１５と同様に、ドライバビット１１０の基端部に形成されている嵌め込み部１１２を一体回転させるように嵌め合わせる出力側凹部１６が形成されている。
これら入力軸１１と出力軸１２、１３には、一体に同軸回転する回転ギヤ２１、２２、２３がそれぞれ連結軸１１ｓ、１２ｓ、１３ｓを介して連結固定されている。
【００１８】
回転ギヤ２１、２２、２３は、それぞれの間に同様の形状に形成されている中継用の回転ギヤ２４、２５が介在して直列に噛み合って連動回転するギヤ列構造に形成されており、これら回転ギヤ２１〜２５は、ギヤ厚程度に離隔する対向板２７、２８の間に挟まれる形態で回転自在に支持されている。
回転ギヤ２１、２４、２５は、回転ギヤ２４、２５が回転ギヤ２１の両側に位置して直線的な配置になるように位置決めされて回転自在に対向板２７、２８に取り付けられており、回転ギヤ２１は連結軸１１ｓが対向板２８を貫通して入力軸１１が一体回転するように連結されている。
【００１９】
回転ギヤ２２、２３は、回転ギヤ２４、２５の軸心を中心にする円弧に沿うスリット形状で対向板２７に開口するように形成されている案内ガイド３２ａ、３３ａ内を連結軸１２ｓ、１３ｓが貫通して出力軸１２、１３と一体に回転自在に支持されている。
この回転ギヤ２２、２３は、連結軸１２ｓ、１３ｓの背面側に回転軸２２ｓ、２３ｓが同軸回転自在に連結されており、回転軸２２ｓ、２３ｓは、対向板２７の案内ガイド３２ａ、３３ａに対面して円弧形状の中心線が一致するように対向板２８に開口形成されている案内ガイド３２ｂ、３３ｂ内を貫通している。
この回転軸２２ｓ、２３ｓは、先端側を雄ネジ形状に形成されて対向板２８の外部に突出し、その雄ネジ形状に嵌め合い結合する雌ネジ形状孔を有する蝶ネジ３５をワッシャ３６を介在させてネジ止め固定するようになっている。
【００２０】
これにより、出力軸１２、１３と回転ギヤ２２、２３は、連結軸１２ｓ、１３ｓと回転軸２２ｓ、２３ｓを対向板２７、２８の案内ガイド３２ａ、３２ｂ、３３ａ、３３ｂ内を任意の位置にスライド移動させて、回転軸２２ｓ、２３ｓに蝶ネジ３５を嵌め合い結合させて締め付けることにより、回転ギヤ２２、２３が回転ギヤ２４、２５を介して回転ギヤ２１に連動回転できるように噛み合い状態を維持しつつ、その回転ギヤ２４、２５周りを移動させてギヤ列の並び形状を変更することができる。
【００２１】
このため、出力軸１２、１３は、互いの離隔間隔を調整して一体回転自在に位置決め固定することができ、例えば、回転ギヤ２１〜２５を直線的に並べて入力軸１１から最も離隔させた状態や、回転ギヤ２２、２３を対向板２７、２８の同一の長辺側に寄せるように回転ギヤ２４、２５周りを移動させて入力軸１１（回転ギヤ２１）に最も接近させた状態までを任意に調整して位置決め固定することができる。
また、出力軸１２、１３は、回転ギヤ２２、２３のそれぞれが１つという同数で奇数個の回転ギヤ２４または回転ギヤ２５を介して回転ギヤ２１に連動回転可能に噛み合うことから、入力軸１１の回転力で、その入力軸１１とも同一方向に回転させることができる。なお、ここで、この中継用の回転ギヤ２４、２５は１つに限らず、２個以上の同数であってもよく、また、なくして直接回転ギヤ２１〜２３が直接噛み合い連結する状態にしてもよい。この中継用の回転ギヤ２４、２５を偶数個に下場合には、入力軸１１に対して出力軸１２、１３を逆方向の同一方向に回転させることができる。
【００２２】
したがって、ネジ部材同時回転道具１００は、例えば、入力軸１１の入力側凹部１５に手動作業工具Ｔの先端部の嵌め込み部Ｔｆを嵌め合わせて取り付けるとともに、出力軸１２、１３の出力側凹部１６にドライバビット１１０の嵌め込み部１１２を嵌め合わせて取り付けて容易に組み立てることができる。
このネジ部材同時回転道具１００は、Ｄ−ｓｕｂコネクタＣｄのネジ部材Ｓのヘッド部Ｓｈの間隔にドライバビット１１０の先端部１１１の間隔が一致するように、出力軸１２、１３の離隔間隔を調整するだけで、そのネジ部材Ｓのヘッド部Ｓｈのネジ溝Ｓｄにドライバビット１１０の先端部１１１を容易に嵌め合わせることができる。
ネジ部材同時回転道具１００は、この状態で手動作業工具Ｔを回転させるだけで入力軸１１を介して出力軸１２、１３を同一方向に一体回転させて、本体装置Ｈ側の本体側コネクタＣｈ両側の雌ネジ孔Ｈｆに対する噛み合い量を均等にしつつネジ部材Ｓを相対回転させることができ、高品質に締付固定することができる。
【００２３】
ここで、本実施形態では、回転伝達アダプタ１０の入力軸１１と出力軸１２、１３にそれぞれ着脱自在に手動作業工具Ｔやドライバビット１１０を取り付ける場合を一例にして説明するが、これに限るものではなく、これらの手動作業工具Ｔとドライバビット１１０の一方または双方を一体に連結状態に固定する形態であってもよいことは言うまでもない。
【００２４】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画され得る。
【符号の説明】
【００２５】
１０   回転伝達アダプタ
１１   入力軸
１２、１３    出力軸
１５   入力側凹部
１６   出力側凹部
２１〜２５    回転ギヤ
２７、２８    対向板
３２ａ〜３３ｂ       案内ガイド
３５   蝶ネジ
１００ ネジ部材同時回転道具
１１０ ドライバビット
Ｃｄ   接続側コネクタ
Ｃｈ   本体側コネクタ
Ｈｆ   雌ネジ孔
Ｓ     ネジ部材
Ｓｄ   ネジ溝
Ｓｈ   ヘッド部
Ｔ     手動作業工具
【要約】
【課題】間隔の異なる回転対象物でも同時回転させることができる、汎用性の高いネジ部材同時回転道具を提供すること。
【解決手段】１つの入力軸１１に入力された回転力を第１、第２の出力軸１２、１３に伝達して、その第１、第２の出力軸を同時回転させる回転伝達アダプタ１０を備えるネジ部材同時回転道具であって、入力軸および第１、第２の出力軸は、それぞれ回転ギヤ２１〜２３に一体回転するように連結されて、回転ギヤ２１の回転は回転ギヤ２４、２５を介して回転ギヤ２２、２３に伝達するギヤ列を備えており、第１、第２の出力軸は案内ガイド３２ａ〜３３ｂにより回転ギヤ２４、２５周りをスライド移動させることで入力軸からの離隔距離を可変させて回転自在に位置決め保持し、入力軸には手動作業工具を、また、第１、第２の出力軸にはドライバビットを一体回転させるように取り付ける。
【選択図】図２【図１】
0005628377.tif 000002
【図２】
0005628377.tif 000003
【図３】
0005628377.tif 000004
【図４】
0005628377.tif 000005
【図５】
0005628377.tif 000006